(57)【要約】      （修正有）【課題】受け取る側に贈る側の気持ちと、さらにはギフト用カタログシートに掲載された商品の詳細な情報を提供することができる新規なカタログギフト用アルバムを提供する。【解決手段】贈る側から受け取る側に贈られて、受け取る側が掲載された商品の中から希望の商品を選択して指定業者に発注することのできる商品を掲載したギフト用カタログシートと、受け取る側が任意に書き込み可能なメモ用紙と、名刺等のカードを収納できるカード入れと、袋状であって、開口部に開閉具を備えたジッパーを設けた袋体シートと、ボールペン等の筆記用具を保持するペンホルダーを端部に備えた台紙と、写真等の表示物を保持可能なアルバム用シートと、ＣＤを収納することができるＣＤ収納シートを内蔵してなるアルバムであり、上記アルバムを収納できる収納ボックスを付属してなることを特徴とする。【選択図】図２
0003115948.tif 000002
【実用新案登録請求の範囲】
【請求項１】
贈る側から受け取る側に贈られて、受け取る側が掲載された商品の中から希望の商品を選択して指定業者に発注することのできる商品を掲載したギフト用カタログシートと、
受け取る側が任意に書き込み可能なメモ用紙と、
名刺等のカードを収納できるカード入れと、
袋状であって、開口部に開閉具を備えたジッパーを設けた袋体シートと、
ボールペン等の筆記用具を保持するペンホルダーを端部に備えた台紙と、
写真等の表示物を保持可能なアルバム用シートと、
ＣＤを収納することができるＣＤ収納シートを内蔵してなるアルバムであり、
上記アルバムを収納できる収納ボックスを付属してなることを特徴とするカタログギフト用アルバム。
【請求項２】
箱型の１側面が開口し、そこから上記アルバムを収納することを目的とした、縦置き、横置き、さらには壁掛けも可能である収納ボックスを付属してなる請求項１に記載のカタログギフト用ボックス。
【考案の詳細な説明】
【技術分野】
【０００１】
本考案は、多数の商品を掲載したカタログに関わり、冠婚葬祭や祝事に際して贈られる品物を受け取る側に選択してもらうのに使用されるカタログギフト用アルバムに関する。
【背景技術】
【０００２】
従来、冠婚葬祭などに際して、式の出席者に御礼の品を贈る事が一般的である。例えば、結婚披露宴においては、新郎新婦が選んだ特定の引出物を出席者に渡すことが広く行われている。特に近年では、贈る側が贈答の品を選択するのではなく、受け取る側が希望の品物の選択、受け渡しをカタログを媒介して行うことができるというシステムが普及している。上記システムは、多数の商品が掲載されたカタログを贈る側から受け取る側に贈り、受け取る側がカタログに掲載された商品の中から希望の商品を選択して指定業者に発注するというものである。
【０００３】
また、上記カタログの表紙に窓を設け、そこに贈る側に係る表示物を掲載することで、贈る側の誠意を受け取る側に伝えるといった目的のカタログもある（実用新案登録第３１０１６１５号公報、特許文献１参照）。
【特許文献１】実用新案登録第３１０１６１５号
【考案の開示】
【考案が解決しようとする課題】
【０００４】
しかし、上述した特許文献１では、ギフト用カタログの表紙に窓を設け、前記窓に贈る側に係る表示物を掲載することで受け取る側への誠意を伝えようとしているが、実際のカタログに関しては、各種商品を掲載した書面を備えるのみである。
【０００５】
そこで、本考案に係るカタログギフト用アルバムにおいては、ギフト用カタログシートのほかに、受け取る側が任意に情報を書き込むことのできるメモ用紙、名刺等のカードを複数箇所に収納できるカード入れ、袋状であって、開口部に開閉具を備えたジッパーを設けた袋体シート、ボールペン等の筆記用具を保持するペンホルダーを端部に備えた台紙、贈る側に係る写真、贈る側のメッセージ等や出席者の撮影した写真類を掲載することのできるアルバム用シート、贈る側に係る映像やカタログに掲載された商品を紹介する映像その他の情報を納めたＣＤを収納できるＣＤ収納シートを備えることで、受け取る側に贈る側の気持ちと、さらにはギフト用カタログシートに掲載された商品の詳細な情報を提供することができる新規なカタログギフト用アルバムを提供することである。
【課題を解決するための手段】
【０００６】
本考案は、上記目的を達成するため、贈る側から受け取る側に贈られて受け取る側が掲載品の中から希望の商品を選択して指定業者に発注するための商品を掲載したギフト用カタログシートと、
受け取る側が任意に書き込み可能なメモ用紙と、
名刺等のカードを収納できるカード入れと、
袋状であって、開口部に開閉具を備えたジッパーを設けた袋体シートと、
ボールペン等の筆記用具を保持するペンホルダーを端部に備えた台紙と、
写真等の表示物を保持可能なアルバム用シートと、
ＣＤを収納することができるＣＤ収納シートを内蔵してなるアルバムであり、
上記アルバムを収納できる収納ボックスを付属してなることを特徴としている（請求項１）。
【０００７】
また、箱状の１側面が開口し、そこから上記アルバムを収納することを目的とした、縦置き、横置き、さらには壁掛けも可能である収納ボックスを付属してなることを特徴としている（請求項２）。
【考案の効果】
【０００８】
本考案に係るカタログギフト用アルバムによれば、ギフト用カタログシートのほかに、受け取る側が任意に情報を書き込むことのできるメモ用紙、名刺等のカードを複数箇所に収納できるカード入れ、袋状であって、開口部に開閉具を備えたジッパーを設けた袋体シート、ボールペン等の筆記用具を保持するペンホルダーを端部に備えた台紙、贈る側に係る写真、贈る側のメッセージ等や出席者の撮影した写真類を掲載することのできるアルバム用シート、贈る側に係る映像やカタログに掲載された商品を紹介する映像その他の情報を納めたＣＤを収納できるＣＤ収納シートを備えることで、受け取る側に贈る側の気持ちと、さらにはギフト用カタログシートに掲載された商品の詳細な情報を提供することができる。
【０００９】
また、縦置き、横置き、さらには壁掛けも可能な収納ボックスも付随しており、これにより、アルバムを収納することができる。
【考案を実施するための最良の形態】
【００１０】
図１は、本考案に係るカタログギフト用アルバムを閉じた状態の外観図である。図１に示すカタログギフト用アルバムは、アルバムカバー１１外面の端部に係止用ベルト１２と、他端部にベルト止め部１３を備える。係止用ベルト１２はベルト止め部１３に挿通され、アルバム１が閉じた状態で固定される。
【００１１】
図２は、図１に示すカタログギフト用アルバムを開いた状態の外観図である。図２に示すカタログギフト用アルバムは、アルバムカバー１１内面の中央部にファイリング具１４を備え、前期ファイリング具１４によって、ギフト用カタログシート等の各種表示物１５を保持する。
【００１２】
図３（a），（b）は、本考案に係るカタログギフト用アルバムのアルバムカバーの外面図と内面図である。図示されたアルバムカバー１１は、アルバムカバー１１外面の端部に係止用ベルト１２と、他端部にベルト止め部１３を有する。また、アルバムカバー１１内面の中央部には、ファイリング具１４を備え、前期ファイリング具１４の両側辺より若干離れたところに折り返し線１６を設ける。このような構造にすることで、ファイリング具１４を挟むように設けられた２本の折り返し線１６からアルバムカバー１１を折り畳むことができ、アルバムを閉じることができる。
【００１３】
図４は、図２に示すカタログギフト用アルバムに内蔵する各種表示物の平面図である。図示された各種表示物１５は、ギフト用カタログシート２１と、メモ帳２２と、カード入れ２３と、袋体シート２４と、ペンホルダー付き台紙２５と、アルバム用シート２６と、ＣＤ収納シート２７である。
【００１４】
ギフト用カタログシート２１は、多数の商品を掲載することができ、ファイリング可能なように端部にファイリング穴２８を設けている。
【００１５】
メモ帳２２は、多種のペンで書き込むことができ、受け取る側の任意の情報を書き込むことができる。
【００１６】
カード入れ２３は、名刺などのカード４１を複数箇所に収納することができる。
【００１７】
袋体シート２４は、袋状をなし、開口部に開閉具４２を備えたジッパー４３を設けている。
【００１８】
ペンホルダー付き台紙２５は、ボールペン等の筆記用具４４を挿入保持することが出来る筒状のペンホルダー４５を端部に備えている。
【００１９】
アルバム用シート２６は、表面に粘着剤を塗布しており、その塗布面を覆うように着脱自在な透明シートを有する。このような構造にすることで、前記塗布面に、贈る側に係る写真、贈る側のメッセージ等や出席者の撮影した写真類等の表示物を接着させ、前記表示物を覆うように前記透明シートを塗布面に接着させることで、アルバム形式のシートを形成することができる。
【００２０】
ＣＤ収納シート２７は、贈る側に係る画像やデータ、あるいはカタログに掲載された商品に係る画像やデータ等の情報を内蔵したＣＤ４６を収納することができるシートである。
【００２１】
また、上記メモ帳２２、カード入れ２３、袋体シート２４、ペンホルダー付き台紙２５、アルバム用シート２６、ＣＤ収納シート２７もカタログ２１同様ファイリング可能なように端部にファイリング穴２８を設けている。
【００２２】
図５（a），（b），（c），（d）は、本考案に係るカタログギフト用アルバムに付随した収納ボックスの正面、側面、上面、背面図である。図示された収納ボックス３１は、箱型をなし、上面に開口した開口部３２を持つ。また、収納ボックス３１正面の壁面には、収納したアルバムを取り出し易くするため、開口部３２に連なった凹み部３３を設ける。さらに、収納ボックス３１背面には、壁掛け可能なように、引掛穴部３４を設ける。
【００２３】
図６は、図５に示す収納ボックスの壁掛け状態の図である。図示した収納ボックス３１は、収納ボックス３１背面に設けられた引掛穴部３４に、壁３５に固定された壁掛けフック３６を挿通し引掛けることで、収納ボックス３１を壁３５に固定する。
【００２４】
図７（a），（b），（c）は、本考案に係るカタログギフト用アルバムの収納方法を示した説明図である。図示するように、本考案に係るカタログギフト用アルバム１を収納ボックス３１に収納する方法は、
（a）  収納ボックス３１の開口部３２を上面にし、その上部よりアルバム１を収納する方法
（b）  収納ボックス３１の開口部３２を側面にし、本棚に収納するようにアルバム１を水平方向に収納する方法
（c）  収納ボックス３１背面の引掛穴部３４に壁掛けフック３６を挿通し、収納ボックス３１を壁３５に掛け、その上部よりアルバム１を収納する方法
である。
【産業上の利用可能性】
【００２５】
上述したように、本考案に係るカタログギフト用アルバムは、ギフト用カタログシート、メモ帳、カード入れ、袋体シート、ペンホルダー付き台紙、アルバム用シート、CD収納シートを内蔵しており、これらの内蔵物を目的に応じて変更することで、例えばスケジュール管理などに用いる手帳や、思い出を長期保存できるアルバムとしても十分に利用することができる。
【図面の簡単な説明】
【００２６】
【図１】本考案に係るカタログギフト用アルバムを閉じた状態の外観図である。
【図２】図１に示すカタログギフト用アルバムを開いた状態の外観図である。
【図３】（a），（b）は、本考案に係るカタログギフト用アルバムのカバーの外面図と内面図である。
【図４】図２に示すカタログギフト用アルバムに内蔵する各種表示物の平面図である。
【図５】a），（b），（c），（d）は、本考案に係るカタログギフト用アルバムに付随した収納ボックスの正面、側面、上面、背面図である。
【図６】図５に示す収納ボックスの壁掛け状態の図である。
【図７】（a），（b），（c）は、本考案に係るカタログギフト用アルバムの収納方法を示した説明図である。
【符号の説明】
【００２７】
１  カタログギフト用アルバム
１１  アルバムカバー
１２  係止用ベルト
１３  ベルト止め部
１４  ファイリング具
１５  各種表示物
１６  折り返し線
２１  ギフト用カタログシート
２２  メモ帳
２３  カード入れ
２４  袋体シート
２５  仕切りシート
２６  アルバム用シート
２７  CD収納シート
２８  ファイリング穴
２９  CD
３１  収納ボックス
３２  開口部
３３  凹み部
３４  引掛穴部
３５  壁
３６  壁掛けフック
４１  カード
４２  開閉具
４３  ジッパー
４４  筆記用具
４５  ペンホルダー
４６  ＣＤ
【図１】
0003115948.tif 000003
【図２】
0003115948.tif 000004
【図３】
0003115948.tif 000005
【図４】
0003115948.tif 000006
【図５】
0003115948.tif 000007
【図６】
0003115948.tif 000008
【図７】
0003115948.tif 000009